(57)【特許請求の範囲】
【請求項１】
筐体と、
前記筐体に収容され、表示画面を有した表示パネルと、
前記表示画面に面した第１面と、該第１面とは反対側に位置して外部に露出した第２面と、前記第２面の少なくとも一辺に沿って設けられて前記表示パネルの厚さ方向で前記第２面よりも前記筐体の内側に位置した係止面とを有した光透過性の前面パネルと、
前記筐体に設けられて前記表示パネルの厚さ方向で前記係止面に外側から面する支持部と、を有し、
前記係止面は、前記第２面から、前記第１面に到達しない範囲で形成された斜面である電子機器であって、
前記前面パネルは、矩形状に形成され、互いに対向する第１辺と第２辺と、前記第１辺と前記第２辺との間に延びた第３辺と第４辺とを有し、
前記係止面は、前記第１辺及び前記第２辺のそれぞれに沿って設けられ、
前記筐体は、前記第１辺及び前記第２辺に隣接する部位のそれぞれに前記支持部と、前記前面パネルの第２面を露出させる開口部とを有し、
前記開口部の内縁と前記前面パネルの第３辺との間、及び前記開口部の内縁と前記前面パネルの第４辺との間には隙間が設けられ、
さらに前記前面パネルは、前記係止面と略同じ幅を有する斜面を前記第３辺及び前記第４辺のそれぞれに有し、
さらに前記開口部から露出する前記係止面の幅は、前記開口部から露出する前記第３辺の前記斜面の幅よりも小さい、
前記電子機器。
【請求項２】
前記支持部は、前記表示パネルの厚さ方向で前記第２面に面する領域を外れて設けられた請求項１に記載の電子機器。
【請求項３】
前記係止面は、前記第２面の縁から前記第２面に対して傾いて延びた前記斜面であり、
前記支持部は、前記係止面と略平行に延びた斜面を有した請求項１または請求項２に記載の電子機器。
【請求項４】
前記筐体は、前記表示パネルの厚さ方向で該電子機器の前方に露出した前面を有し、
前記前面パネルの第２面と前記筐体の前面は、略同一平面上に位置した請求項２乃至請求項３のいずれかに記載の電子機器。
【請求項５】
前記開口部の内縁と前記前面パネルの第３辺との間の隙間、及び前記開口部の内縁と前記前面パネルの第４辺との間の隙間のそれぞれに挿入される隙間埋め部材をさらに備えた請求項１に記載の電子機器。
【請求項６】
前記隙間埋め部材は、前記表示パネルの厚さ方向で前記第３辺の前記斜面に外側から面する突出部を有した請求項５に記載の電子機器。
【請求項７】
筐体と、
前記筐体に収容され、表示画面を有した表示パネルと、
前記表示画面に面した第１面と、該第１面とは反対側に位置して外部に露出した第２面と、前記第２面の少なくとも一辺に沿って設けられて前記表示パネルの厚さ方向で前記第２面よりも前記筐体の内側に位置した係止面とを有した光透過性の前面パネルと、
前記筐体に設けられて前記表示パネルの厚さ方向で前記係止面に外側から面する支持部と、を有し、
前記係止面が、前記第２面から、前記第１面に到達しない範囲で形成された斜面であり、
前記前面パネルは、矩形状に形成され、互いに対向する第１辺と第２辺と、前記第１辺と前記第２辺との間に延びた第３辺と第４辺とを有し、
さらに前記係止面は、前記第１辺及び前記第２辺のそれぞれに沿って設けられ、
前記筐体は、前記第１辺及び前記第２辺に隣接する部位のそれぞれに前記支持部と、前記前面パネルの第２面を露出させる開口部とを有し、
前記開口部の内縁と前記前面パネルの第３辺との間、及び前記開口部の内縁と前記前面パネルの第４辺との間には隙間が設けられ、
さらに前記前面パネルは、前記係止面と略同じ幅を有する斜面を前記第３辺及び前記第４辺のそれぞれに有し、
さらに前記開口部から露出する前記係止面の幅は、前記開口部から露出する前記第３辺の前記斜面の幅よりも小さい、
映像表示ユニット。
【請求項８】
前記係止面は、前記第２面の縁から前記第２面に対して傾いて延びた前記斜面であり、
前記支持部は、前記係止面と略平行に延びた斜面を含む請求項７に記載の映像表示ユニット。
【請求項９】
前記表示パネルの厚さ方向で前記カバーの前方に露出した前面を有するフレームを備え、前記前面パネルの第２面と前記フレームの前面は、略同一平面上に位置した請求項７又は請求項８に記載の映像表示ユニット。
【請求項１０】
前記前面パネルは、矩形状に形成され、互いに対向する第１辺と第２辺とを有し、
前記係止面は、前記第１辺及び前記第２辺のそれぞれに沿って設けられ、
前記フレームは、前記第１辺及び前記第２辺に隣接する部位のそれぞれに前記支持部を有した請求項７乃至請求項９のいずれかに記載の映像表示ユニット。
【請求項１１】
医療用の立体映像を表示可能であって、
筐体と、
前記筐体に収容され、表示画面を有した表示パネルと、
前記表示画面に面した第１面と、該第１面とは反対側に位置して外部に露出した第２面と、前記第２面の少なくとも一辺に沿って設けられて前記表示パネルの厚さ方向で前記第２面よりも前記筐体の内側に位置した係止面とを有した光透過性の前面パネルと、
前記筐体に設けられて前記表示パネルの厚さ方向で前記係止面に外側から面する支持部と、を備えた医療用モニターであって、
前記係止面が、前記第２面から、前記第１面に到達しない範囲で形成された斜面であり、
前記前面パネルは、矩形状に形成され、互いに対向する第１辺と第２辺と、前記第１辺と前記第２辺との間に延びた第３辺と第４辺とを有し、
さらに前記係止面は、前記第１辺及び前記第２辺のそれぞれに沿って設けられ、
前記筐体は、前記第１辺及び前記第２辺に隣接する部位のそれぞれに前記支持部と、前記前面パネルの第２面を露出させる開口部とを有し、
前記開口部の内縁と前記前面パネルの第３辺との間、及び前記開口部の内縁と前記前面パネルの第４辺との間には隙間が設けられ、
さらに前記前面パネルは、前記係止面と略同じ幅を有する斜面を前記第３辺及び前記第４辺のそれぞれに有し、
さらに前記開口部から露出する前記係止面の幅は、前記開口部から露出する前記第３辺の前記斜面の幅よりも小さい、
前記医療用モニター。
【発明の詳細な説明】
【技術分野】
【０００１】
本発明の実施形態は、医療用モニター、電子機器及び映像表示ユニットに関する。
【背景技術】
【０００２】
表示パネルの前方に光透過性の前面パネルが設けられた電子機器が提供されている。
【先行技術文献】
【特許文献】
【０００３】
【特許文献１】特開２００５−７０６６２号公報
【発明の概要】
【発明が解決しようとする課題】
【０００４】
電子機器は、信頼性がさらに向上すると好ましい。
【０００５】
本発明の目的は、信頼性の向上を図ることができる医療用モニター、電子機器及び映像表示ユニットを提供することである。
【課題を解決するための手段】
【０００６】
実施形態によれば、電子機器は、筐体と、前記筐体に収容され、表示画面を有した表示パネルと、光透過性の前面パネルと、支持部とを備える。前記前面パネルは、前記表示画面に面した第１面と、該第１面とは反対側に位置して外部に露出した第２面と、前記第２面の少なくとも一辺に沿って設けられて前記表示パネルの厚さ方向で前記第２面よりも前記筐体の内側に位置した係止面とを有する。前記支持部は、前記筐体に設けられて前記表示パネルの厚さ方向で前記係止面に外側から面する。そして、前記係止面が、前記第２面から、前記第１面に到達しない範囲で形成された斜面として形成されている。
さらに、前記前面パネルは、矩形状に形成され、互いに対向する第１辺と第２辺と、前記第１辺と前記第２辺との間に延びた第３辺と第４辺とを有する。さらに前記係止面は、前記第１辺及び前記第２辺のそれぞれに沿って設けられる。さらに前記筐体は、前記第１辺及び前記第２辺に隣接する部位のそれぞれに前記支持部と、前記前面パネルの第２面を露出させる開口部とを有し、前記開口部の内縁と前記前面パネルの第３辺との間、及び前記開口部の内縁と前記前面パネルの第４辺との間には隙間が設けられる。さらに前記前面パネルは、前記係止面と略同じ幅を有する斜面を前記第３辺及び前記第４辺のそれぞれに有する。さらに前記開口部から露出する前記係止面の幅は、前記開口部から露出する前記第３辺の前記斜面の幅よりも小さい。
【図面の簡単な説明】
【０００７】
【図１】第１実施形態に係る映像表示ユニットを例示した斜視図。
【図２】図１中に示された保護カバーを例示した正面図。
【図３】図１中に示された映像表示ユニットのＦ３−Ｆ３線に沿う断面図。
【図４】図３中に示されたＦ４線で囲まれた領域を拡大して例示した断面図。
【図５】図３中に示された保護カバーのＦ５−Ｆ５線に沿う断面図。
【図６】図２中に示されたＦ６線で囲まれた領域を拡大して例示した正面図。
【図７】図１中に示された保護カバーの組立方法の一例を例示した断面図。
【図８】図１中に示された保護カバーの組立方法の一例を例示した断面図。
【図９】第１実施形態の第１変形例に係る保護カバーを例示した断面図。
【図１０】第１実施形態の第２変形例に係る保護カバーを例示した正面図。
【図１１】第１実施形態の第３変形例に係る保護カバーを例示した断面図。
【図１２】図１１中に示された保護カバーのさらなる変形例を例示した断面図。
【図１３】図１１中に示された保護カバーのさらなる変形例を例示した断面図。
【図１４】第２実施形態に係るテレビジョン受像機を例示した斜視図。
【図１５】図１４中に示されたテレビジョン受像機のＦ１５−Ｆ１５線に沿う断面図。
【図１６】第３実施形態に係るタブレット端末を例示した斜視図。
【図１７】第４実施形態に係るスマートフォンを例示した斜視図。
【図１８】第５実施形態に係る映像表示ユニットを例示した断面図。
【図１９】第５実施形態の第１変形例に係る映像表示ユニットを例示した断面図。
【図２０】第５実施形態の第２変形例に係る映像表示ユニットを例示した断面図。
【図２１】第５実施形態の第３変形例に係る映像表示ユニットを例示した断面図。
【図２２】第５実施形態の第４変形例に係る映像表示ユニットを例示した断面図。
【図２３】第５実施形態の第５変形例に係る映像表示ユニットを例示した断面図。
【発明を実施するための形態】
【０００８】
以下、実施の形態について、図面を参照して説明する。  
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
（第１実施形態）  
図１は、第１実施形態に係る映像表示ユニット１を示す。図２に示すように、映像表示ユニット１は、映像表示機器２と、該映像表示機器２に取り付けられる保護カバー３とを含む。映像表示機器２は、例えばモニターである。なお本実施形態が適用可能な映像表示機器は、上記に限らず、デジタルサイネージや、タブレット端末（多機能携帯端末）、スマートフォン、またはテレビジョン受像機のような種々の電子機器が幅広く該当する。
【００１０】
図２に示すように、映像表示機器２は、筐体１１と、スタンド１２とを有する。スタンド１２は、例えば筐体１１の背面に取り付けられ、筐体１１を鉛直状の姿勢に保持する。なお、映像表示機器２は、スタンド１２を有しない壁掛けタイプでもよい。
【００１１】
筐体１１は、表示装置１３を収容している。表示装置１３は、例えば液晶ディスプレイであり、表示パネル１４（液晶パネル）と、該表示パネル１４の背後に位置したバックライトユニットとを含む。なお、表示装置１３は、液晶ディスプレイに限らず、例えばプラズマディスプレイや、有機ＥＬ(Electro-Luminescence)ディスプレイなどでもよい。表示パネル１４は、画像（静止画及び動画を含む）を表示可能な表示画面１４ａを有する。
【００１２】
筐体１１は、扁平な矩形状の箱型に形成されている。筐体１１は、フロントベゼル１５と、ユニットカバー（バックカバー）とを有する。本実施形態では、フロントベゼル１５とユニットカバーとが組み合わされることで筐体１１が形成される。フロントベゼル１５は、筐体１１の前面を形成するとともに、表示装置１３の表示画面１４ａを外部に露出させる開口部１１ａを有する。ユニットカバーは、表示装置１３の背後を覆う。
【００１３】
次に、保護カバー３について説明する。  
図１及び図２に示すように、保護カバー３は、映像表示機器２の筐体１１よりも一回り大きな箱状に形成され、筐体１１に外側から取り付けられる。保護カバー３は、枠状のフレーム２１と、該フレーム２１の前面に取り付けられた前面パネル２２とを有する。
【００１４】
フレーム２１は、第１辺部３１、第２辺部３２、第３辺部３３、及び第４辺部３４を有する。第１辺部３１は、フレーム２１の上端部に位置し、略水平方向に延びている。第２辺部３２は、フレーム２１の下端部に位置し、第１辺部３１と略平行に延びている。第３辺部３３は、フレーム２１の左端部に位置する。第４辺部３４は、フレーム２１の右端部に位置する。第３辺部３３及び第４辺部３４は、略鉛直方向に延び、第１辺部３１と第２辺部３２との間を繋いでいる。これら第１乃至第４の辺部３１，３２，３３，３４によって枠状のフレーム２１が形成されている。
【００１５】
ここで、第１乃至第３の方向Ｘ，Ｙ，Ｚについて定義する。第１方向Ｘ及び第２方向Ｙの各々は、表示画面１４ａに沿う方向である。第１方向Ｘは、第２辺部３２から第１辺部３１に向かう方向である。第２方向Ｙは、第１方向Ｘに略直交する方向であり、第３辺部３３から第４辺部３４に向かう方向である。第３方向Ｚは、第１方向Ｘ及び第２方向Ｙに略直交する方向であり、表示パネル１４の厚さ方向であるとともに、前面パネル２２の厚さ方向でもある。
【００１６】
図３に示すように、本実施形態に係るフレーム２１は、第１部品３６（ベース）と、該第１部品３６に取り付けられた第２部品３７（前面パネル保持フレーム）とによって構成されている。第１部品３６は、第１部分３６ａ、第２部分３６ｂ、及び第３部分３６ｃを有する。
【００１７】
第１部分３６ａは、映像表示機器２の筐体１１の前方に位置し、略鉛直方向（第１方向Ｘ）に延びている。第１部分３６ａは、筐体１１の前面の周端部に面する。すなわち、第１部分３６ａは、筐体１１の前面の上端部、下端部、左端部、及び右端部に面する枠状に形成されている。第１部分３６ａは、映像表示機器２の表示画面１４ａを外部に露出させる第１開口部３８を規定する。
【００１８】
第２部分３６ｂは、第１部分３６ａの周縁部から後方に延びている。第２部分３６ｂは、映像表示機器２の筐体１１の周面に沿うように略水平方向（第３方向Ｚ）に延びている。すなわち、第２部分３６ｂは、筐体１１の上面、下面、左側面、及び右側面を囲む枠状に形成されている。
【００１９】
第３部分３６ｃは、第２部分３６ｂの後縁部から、例えば映像表示機器２の筐体１１の外形に沿って下方に延びている。第３部分３６ｃは、例えば、筐体１１の背面の上端部、左端部、及び右端部に面する逆Ｕ字状に形成されている。なお、第３部分３６ｃは、筐体１１の背面の上端部、下端部、左端部、及び右端部に面する枠状に形成されてもよい。
【００２０】
以上の構成により、筐体１１の上端部、左端部、及び右端部は、フレーム２１の第１部分３６ａと第３部分３６ｃとの間に挟まれる。これにより、筐体１１に対する保護カバー３の第３方向Ｚの位置が定まる。また、筐体１１は、保護カバー３の第３辺部３３に位置した第２部分３６ｂと、第４辺部３４に位置した第２部分３６ｂとに挟まれる。これにより、筐体１１に対する保護カバー３の第２方向Ｙの位置が定まる。
【００２１】
次に、第２部品３７について説明する。  
第２部品３７は、第１部品３６の第２部分３６ｂの外面に取り付けられる。第２部品３７は、第１部品３６の周面を囲む枠状に形成されている。第２部品３７は、第１部分３７ａと、第２部分３７ｂとを有する。第１部分３７ａは、第１部品３６の第２部分３６ｂに重ねられ、第１部品３６の第２部分３６ｂに沿って延びている。第２部品３７の第２部分３７ｂは、第１部分３７ａからさらに前方に延び、第１部品３６の第１部分３６ａよりも前方に突出している。
【００２２】
図３に示すように、前面パネル２２は、表示装置１３の表示画面１４ａの前方に配置され、表示画面１４ａを覆う。前面パネル２２は、保護カバー３の第１部品３６の第１部分３６ａによって形成される第１開口部３８よりも大きい。このため、前面パネル２２は、第１開口部３８に面するとともに、第１部品３６の第１部分３６ａにも面する。
【００２３】
前面パネル２２は、第１面２２ａと、第２面２２ｂとを有する。第１面２２ａは、表示パネル１４の表示画面１４ａ及び第１部品３６の第１部分３６ａに面する。第１面２２ａと第１部品３６の第１部分３６ａとの間には、例えば両面テープまたは接着剤のような接着部３９（固定部）が設けられている。表示パネル１４は、接着部３９によって第１部品３６の第１部分３６ａに固定される。第２面２２ｂは、第１面２２ａとは反対側に位置し、第１面２２ａと略平行に延びている。第２面２２ｂは、映像表示ユニット１の最外面に位置し、保護カバー３の外部に露出される。
【００２４】
前面パネル２２は、例えばガラス板であるが、これに限られずアクリル板などでもよい。前面パネル２２は、光透過性を有するパネルであれば、特に機能や材料は限定されない。前面パネル２２は、例えば表示装置１３の表示画面１４ａを保護する保護用のパネルである。なお、前面パネル２２は、保護用のパネルに限らず、例えば表示装置１３の表示画面１４ａから照射される光を偏光または調光する機能性のパネルでもよい。前面パネル２２の一例は、表示装置１３の表示画面１４ａに表示される画像を、ユーザーに立体的に視覚させるような３Ｄ機能（裸眼３Ｄ機能）を実現するパネルでもよい。すなわち、本実施形態が適用される「映像表示装置に取り付けられるカバー」は、保護カバーに限らず、種々の光学的な機能を付与する機能性カバーや、その他の用途のカバーでもよい。
【００２５】
次に、保護カバー３の構成を別の観点で説明する。  
図２に示すように、保護カバー３は、本体部４１（カバー本体）と、底カバー４２とに分解可能である。本体部４１は、フレーム２１の第１辺部３１、第３辺部３３、第４辺部３４の全てと、第２辺部３２に位置する第１部品３６の第１部分３６ａ、及び前面パネル２２を含む。これにより、本体部４１は、下方及び後方が開放された箱状に形成されている。本体部４１は、映像表示機器２の筐体１１に上方から被せることができる。
【００２６】
一方で、底カバー４２は、フレーム２１の第２辺部３２に位置する第１部品３６の第２部分３６ｂ、該第２部分３６ｂに設けられた一対の固定部４２ａ、及び第２辺部３２に位置する第２部品３７の第１部分３７ａ及び第２部分３７ｂを有する。底カバー４２は、映像表示機器２の筐体１１に本体部４１を被せた状態で本体部４１に取り付けられ、本体部４１の下方を閉じる。
【００２７】
一対の固定部４２ａは、本体部４１の第３辺部３３の第２部分３６ｂの内面と、第４辺部３４の第２部分３６ｂの内面に沿う。第３辺部３３の第２部分３６ｂ及び第４辺部３４の第２部分３６ｂには、固定部４２ａに面する孔が設けられている。第１固定具４３（例えばねじ）を前記孔に通して固定部４２ａに取り付けることで、底カバー４２を本体部４１に固定することができる。
【００２８】
さらに、底カバー４２の第２部分３６ｂには、映像表示機器２の筐体１１の下面に面する孔が設けられている。第２固定具４４（例えばねじ）を前記孔に通して筐体１１の下面に取り付けることで、底カバー４２を筐体１１に固定することができる。
【００２９】
次に、前面パネル２２の支持構造について説明する。  
図２に示すように、前面パネル２２は、矩形状に形成され、第１辺５１、第２辺５２、第３辺５３、及び第４辺５４を有する。第１辺５１は、前面パネル２２の上端部に位置し、略水平方向に延びている。第２辺５２は、前面パネル２２の下端部に位置し、第１辺５１と略平行に延びている。すなわち、第１辺５１と第２辺５２は、互いに対向する２辺である。第３辺５３は、前面パネル２２の左端部に位置する。第４辺５４は、前面パネル２２の右端部に位置する。第３辺５３及び第４辺５４は、第１辺５１及び第２辺５２とは直交する方向に延び、第１辺５１と第２辺５２との間を繋いでいる。
【００３０】
図４は、前面パネル２２の上端部を示す。前面パネル２２の上端部は、係止面２２ｃ、側面２２ｄ、及び背斜面２２ｅを有する。係止面２２ｃは、表示パネル１４の厚さ方向で第２面２２ｂよりも内側（すなわち後ろ側）に位置した後退面である。本実施形態では、係止面２２ｃは、第２面２２ｂに対して傾いた斜面であり、第２面２２ｂの縁から後方に傾いて延びている。係止面２２ｃの一例は、いわゆる面取り面（Ｃ面）である。係止面２２ｃは、例えば第２面２２ｂに対して略４５度傾いている。
【００３１】
係止面２２ｃは、第２面２２ｂの少なくとも一辺に沿って設けられている。図３に示すように、本実施形態では、係止面２２ｃは、前面パネル２２の第１辺５１及び第２辺５２のそれぞれに沿って設けられている。係止面２２ｃは、例えば第１辺５１及び第２辺５２の略全長に亘って形成されている。また、係止面２２ｃは、前面パネル２２の厚さ方向では、例えば前面パネル２２の厚さの略１／３に亘る。なお、係止面２２ｃの角度や大きさは、上記例に限定されない。
【００３２】
側面２２ｄは、係止面２２ｃの後縁から後方に延びている。換言すれば、係止面２２ｃは、第２面２２ｂと側面２２ｄとの間を斜めに延びている。側面２２ｄは、前面パネル２２の最外周に位置するとともに、第２面２２ｂとは略直交した方向に延びている。
【００３３】
背斜面２２ｅは、側面２２ｄの後縁から前面パネル２２の中心側に傾いて延びている。背斜面２２ｅは、係止面２２ｃと略同じ面取り面であり、例えば第２面２２ｂに対して略４５度傾いている。換言すれば、背斜面２２ｅは、側面２２ｄと第１面２２ａとの間を斜めに延びている。
【００３４】
図４に示すように、保護カバー３の第２部分３７ｂは、前面パネル２２及び接着部３９の周囲（上方、下方、左方、右方）を囲う枠状に形成された枠部である。保護カバー３の第２部分３７ｂは、前面パネル２２の側面２２ｄに接し、側面２２ｄを支持する。
【００３５】
図３及び図４に示すように、保護カバー３の第２部分３７ｂは、前面パネル２２の係止面２２ｃを支持可能な支持部６１を有する。本実施形態では、支持部６１は、前面パネル２２の第１辺５１及び第２辺５２のそれぞれに沿って延びている。換言すれば、一つの支持部６１は、本体部４１に設けられ、他方の支持部６１は、底カバー４２に設けられている。
【００３６】
支持部６１は、係止面２２ｃよりも前方に位置し、表示パネル１４の厚さ方向で係止面２２ｃに外側から面する。支持部６１は、前面パネル２２が前方に移動しようとするときに係止面２２ｃに掛かり、前面パネル２２が該支持部６１を超えて前方に移動することを規制する。支持部６１は、表示パネル１４の厚さ方向で第２面２２ｂに面する領域を外れて設けられている。
【００３７】
なお、支持部６１は、係止面２２ｃに接していてもよいし、部品公差や接着部３９の撓みなどによって該支持部６１と係止面２２ｃとの間に隙間が存在してもよい。支持部６１は、少なくとも前面パネル２２が前方に移動しそうになったときに係止面２２ｃに接することで係止面２２ｃを支持すればよい。また、支持部６１と係止面２２ｃとの間には、例えばゴムのようなクッション部材（弾性部材）が挿入されてもよい。
【００３８】
本実施形態では、支持部６１は、係止面２２ｃと略平行に延びて係止面２２ｃに面した斜面６１ａを有する。詳しく述べると、保護カバー３の第２部品３７は、第１方向Ｘに窪んだ窪み６２を有する。窪み６２は、例えば第１部分３７ａと第２部分３７ｂとに亘って設けられている。窪み６２は、例えばエンドミルのような切削工具による切削加工によって形成される。この切削工具の先端形状によって斜面６１ａを含む窪み６２が形成される。
【００３９】
図４に示すように、保護カバー３の第２部品３７の第２部分３７ｂは、表示パネル１４の厚さ方向で保護カバー３の前方に露出した前面６４を有する。本実施形態に係る保護カバー３は、いわゆるフルフラッシュ、またはフルフラットと呼ばれる外観を有し、前面パネル２２の第２面２２ｂが保護カバー３の最前面に位置するとともにその最前面の大部分を占める。保護カバー３の前面６４は、前面パネル２２の第２面２２ｂと略同一平面上に位置する。なお、本明細書で「略同一平面上」とは、部品公差や接着部３９の撓みなどによって前面パネル２２の第２面２２ｂが保護カバー３の前面６４よりも僅かに後方にずれて位置することも含む。
【００４０】
次に、前面パネル２２の左端部と右端部の周囲について説明する。  
図５は、前面パネル２２の左端部を示す。前面パネル２２の左端部は、斜面２２ｆ、側面２２ｄ、及び背斜面２２ｅを有する。斜面２２ｆは、第２面２２ｂの縁から第２面２２ｂに対して後方に傾いて延びた斜面である。斜面２２ｆは、係止面２２ｃと略同じ面取り面（Ｃ面）であり、第２面２２ｂに対して略４５度傾いている。斜面２２ｆは、例えば第３辺５３及び第４辺５４の略全長に亘って設けられている。図６に示すように、斜面２２ｆの幅Ｗ２は、係止面２２ｃの幅Ｗ１と略同じである。
【００４１】
図５に示すように、保護カバー３の第３辺部３３及び第４辺部３４は、支持部６１が設けられていない。保護カバー３の第３辺部３３と前面パネル２２の側面２２ｄとの間、及び第４辺部３４と前面パネル２２の側面２２ｄとの間には、隙間ｇが設けられている。
【００４２】
以上を換言すると、保護カバー３は、次のような構成を有する。  
図５及び図６に示すように、保護カバー３の第２部品３７は、前面パネル２２の第２面２２ｂを外部に露出させる第２開口部６５を有する。第２開口部６５の内縁と前面パネル２２の第３辺５３との間、及び第２開口部６５の内縁と前面パネル２２の第４辺５４との間には隙間ｇが設けられている。このため図６に示すように、第２開口部６５から露出する係止面２２ｃの幅Ｓ１は、第２開口部６５から露出する斜面２２ｆの幅Ｓ２よりも小さい（細い）。なお、本実施形態では斜面２２ｆは支持部６１によって覆われていないため、第２開口部６５から露出する斜面２２ｆの幅Ｓ２は、斜面２２ｆの幅Ｗ２に一致する。
【００４３】
なお図５に示すように、保護カバー３は、第２開口部６５の内縁と前面パネル２２の第３辺５３との間の隙間ｇ、及び第２開口部６５の内縁と前面パネル２２の第４辺５４との間の隙間ｇに化粧部材６７が挿入されてもよい。化粧部材６７は、「隙間埋め部材」の一例である。化粧部材６７は、例えば表示パネル１４の厚さ方向で斜面２２ｆに外側から面する突出部６７ａを有してもよい。
【００４４】
次に、保護カバー３の組立方法について説明する。  
図７に示すように、前面パネル２２が取り付けられる前に、第１部品３６と第２部品３７は例えば溶着などで互いに固定されている。また第１部品３６の第１部分３６ａには、接着部３９が設けられている。なお、接着部３９は、第１部品３６の第１部分３６ａに代えて、前面パネル２２の第１面２２ａに設けられてもよい。なお、底カバー４２は、本体部４１にまだ取り付けられていない。
【００４５】
前面パネル２２は、保護カバー３の第１部品３６の窪み６２に斜めに差し込まれる。このとき、図８に示すように、第２開口部６５の内縁と前面パネル２２の第３辺５３との間の隙間ｇ、及び第２開口部６５の内縁と前面パネル２２の第４辺５４との間の隙間ｇにジグ６８が取り付けられ、前面パネル２２のスライドがジグ６８によって案内されてもよい。前面パネル２２は、例えばジグ６８に沿わされることでスムーズに窪み６２に差し込むことができる。そして、前面パネル２２は、該前面パネル２２の第１辺５１の側面２２ｄを窪み６２に突き当てた状態で水平にされ、接着部３９によってフレーム２１と前面パネル２２とが固定される。
【００４６】
なお、図８に示すように、ジグ６８の一例は、第１部分６８ａ、第２部分６８ｂ、及び第３部分６８ｃを有する。なおここでは、前面パネル２２の取り付け作業を行う状態（第１部品３６の第１部分３６ａを略水平に寝かせた状態）を基準にして上下を定義する。
【００４７】
第１部分６８ａは、第２開口部６５の内縁と前面パネル２２の第３辺５３との間の隙間ｇ、または第２開口部６５の内縁と前面パネル２２の第４辺５４との間の隙間ｇに挿入される。これにより、前面パネル２２は、第１部分６８ａに案内されてスライドすることができる。
【００４８】
第２部分６８ｂは、フレーム２１の外側に位置し、フレーム２１の外表面に面する。第２部分６８ｂは、第１部分６８ａと略平行に、略鉛直方向（保護カバー３の厚さ方向）に延びている。第２部分６８ｂは、第１部分６８ａよりも上方に延びるとともに、第１部分６８ａよりも下方まで延びている。
【００４９】
第３部分６８ｃは、第１部分６８ａとは交差する方向に延び、第１部分６８ａの端部と第２部分６８ｂの端部との間を繋ぐ。これにより、ジグ６８は、第２部品３７の第２部分３７ｂに上方から被せることができる凹部６８ｃを有する。凹部６８ｃが第２部品３７の第２部分３７ｂに被せられることで、ジグ６８が第２部品３７によって安定して支持される。
【００５０】
第３部分６８ｃの上面は、傾斜面６８ｅを有する。傾斜面６８ｅは、第２部分６８ｂから第１部分６８ａに向かって進むに従い下がるように傾斜している。このような傾斜面６８ｅが設けられると、前面パネル２２を第１部分６８ａに沿わせやすくなる。なお、ジグ６８の形状は、上記例に限らず、種々のものが適宜採用可能である。
【００５１】
前面パネル２２を接着部３９でフレーム２１に固定した後、本体部４１を映像表示機器２の筐体１１に被せる。最後に、本体部４１に下方から底カバー４２を取り付ける。このとき、本体部４１の支持部６１（第１辺部３１の支持部６１）と、底カバー４２の支持部６１（第２辺部３２の支持部６１）とで前面パネル２２を挟み込む。これにより、前面パネル２２の上下の両端部がフレーム２１から抜けなくなる。
【００５２】
次に、保護カバー３の透光部７１について説明する。  
図１及び図２に示すように、映像表示機器２の筐体１１の前面には、発光部７２（インジケータ）が設けられている。発光部７２は、例えばＬＥＤ素子を含み、映像表示機器２の状態（例えば電源のＯＮ／ＯＦＦなど）に応じて点灯または消灯する。透光部７１は、保護カバー３の前面に設けられ、映像表示機器２の発光部７２に面する。ユーザーは、透光部７１を通して映像表示機器２の発光部７２の状態を確認することができる。
【００５３】
本実施形態では、前面パネル２２の第１面２２ａは、第１部品３６の第１部分３６ａに面する領域が第１の色（例えば黒色）の印刷層７３（塗装層）が設けられている。本実施形態に係る透光部７１は、透明ではなく、例えば上記第１の色と同系色であるとともに半透明である第２の色（例えば薄い黒色）の印刷層７３（塗装層）が設けられている。すなわち、上記第２の色の一例は、上記第１の色を薄めた半透明である。上記第２の色は、例えば上記第１の色に用いられるインクと、透明のインクとを所定割合で混合されたものである。
【００５４】
ここで、仮に透光部７１が透明であると、発光部７２の消灯時に、発光部７２の周囲が透光部７１を通してユーザーによく見えてしまい、映像表示ユニット１のデザイン性を低下させる場合も想定される。
【００５５】
一方で、本実施形態のような透光部７１によれば、発光部７２の消灯時でも、透光部７１を通して発光部７２の周囲が見えにくい。このため、映像表示ユニット１のデザイン性を向上させることができる。なお、上記第２の色は、上記第１の色と同系色である必要はなく、上記第１の色とは異なる色の半透明でもよい。
【００５６】
以上のような構成の映像表示ユニット１によれば、信頼性の向上を図ることができる。  
近年、モニターなどの映像機器のデザインにおいて、狭額縁のデザインが主流となっている。そのなかでもそもそも額縁の概念がない、画面の前面にガラス１枚が貼られるデザイン（いわゆるフルフラッシュ）が提案されている。
【００５７】
例えばフルフラッシュのデザインの電子機器においては、ガラスを支える額縁が無いため、ガラスの固定強度はその接着強度に委ねられる。ガラスの接着強度は、製造時に十分な試験が行われるが、例えばメーカーが想定していないような環境、例えば雨風や雪に常に晒される環境や、極度の寒冷または高温の環境下で長時間使用されると接着剤（または接着テープ）が劣化し、ガラスが脱落する可能性がゼロでは無くなる。この可能性は、今後の狭額縁化の進展によって貼り付け面積が減少すると、より高まる可能性がある。
【００５８】
そこで本実施形態では、前面パネル２２は、表示画面１４ａに面した第１面２２ａと、該第１面２２ａとは反対側に位置して外部に露出した第２面２２ｂと、第２面２２ｂの少なくとも一辺に沿って設けられて表示パネル１４の厚さ方向で第２面２２ｂよりも保護カバー３の内側に位置した係止面２２ｃとを有する。保護カバー３は、表示パネル１４の厚さ方向で係止面２２ｃに外側から面する支持部６１を有する。
【００５９】
このような構成によれば、デザイン性を維持しながら前面パネル２２を機械的に固定し、前面パネル２２が脱落する可能性をさらに確実に無くすことができる。これにより、映像表示ユニット１の安全性をさらに高め、信頼性に向上を図ることができる。
【００６０】
本実施形態に係る保護カバー３は、一つの用途として例えば医療現場で用いることができる。医療現場では、例えば脳や臓器の様子や解析結果などを立体的に見るために、３Ｄ機能（裸眼３Ｄ機能）を有した映像表示機器２を用いることがある。このような映像表示機器２は、表示パネル１４（表示セル）の表示画面１４ａに凸凹があり、この凸凹にゴミや埃が付着すると、画像の一部に乱れなどが生じることがある。また医療現場では、種々の薬品などの液体に囲まれた場所で映像表示機器２を使用することも想定される。
【００６１】
このような環境では、映像表示機器２に保護カバー３を取り付けることで、映像表示機器２の表示画面１４ａにゴミや埃などが付着することを抑制し、鮮明な画像を維持することができる。また、映像表示機器２に保護カバー３を取り付けることで、薬品などの液体から映像表示機器２を保護することができる。このため、医療現場では、映像表示機器２に保護カバー３を取り付けることに種々の利点がある。
【００６２】
すなわち、本実施形態に係る映像表示ユニット１は、例えば医療用の立体映像を表示可能な医療用モニターの一例として使用可能である。この場合、表示パネル１４が直接に立体映像を表示してもよいし、表示パネル１４と光学的機能を有した前面パネル２２との組み合わせで立体映像を表示してもよい。
【００６３】
本実施形態では、支持部６１は、表示パネル１４の厚さ方向で第２面２２ｂに面する領域を外れて設けられている。このような構成によれば、支持部６１が前面パネル２２の第２面２２ｂを覆わないので、映像表示ユニット１のデザイン性をさらに高めることができる。
【００６４】
本実施形態では、係止面２２ｃは、第２面２２ｂの縁から第２面２２ｂに対して傾いて延びた斜面である。支持部は、係止面２２ｃと略平行に延びた斜面６１ａを有する。このような構成によれば、係止面２２ｃを形成するために必要な前面パネル２２の縁部の加工作業の単純化を図ることができる。これにより、映像表示ユニット１の製造コストの削減を図ることができる。
【００６５】
本実施形態では、保護カバー３は、表示パネル１４の厚さ方向で保護カバー３の前方に露出した前面６４を有する。前面パネル２２の第２面２２ｂと保護カバー３の前面６４は、略同一平面上に位置する。このような構成によれば、いわゆるフルフラッシュの構造において前面パネル２２を機械的に固定することができ、これにより映像表示ユニット１のデザイン性をさらに高めることができる。
【００６６】
本実施形態では、前面パネル２２は、矩形状に形成され、互いに対向する第１辺５１と第２辺５２とを有する。係止面２２ｃは、第１辺５１及び第２辺５２のそれぞれに沿って設けられている。保護カバー３は、第１辺５１及び第２辺５２に隣接する部位のそれぞれに支持部６１を有する。このような構成によれば、前面パネル２２の両端部が支持部６１によって固定され、フレーム２１から前面パネル２２がさらに脱落しにくくなる。これにより、映像表示ユニット１の信頼性をさらに高めることができる。
【００６７】
本実施形態では、前面パネル２２は、第１辺５１と第２辺５２との間に延びた第３辺５３と第４辺５４とを有する。保護カバー３は、前面パネル２２の第２面２２ｂを露出させる開口部６５を有する。開口部６５の内縁と前面パネル２２の第３辺５３との間、及び開口部６５の内縁と前面パネル２２の第４辺５４との間には隙間ｇが設けられている。このような構成によれば、支持部６１を有した保護フレーム２１に前面パネル２２をよりスムーズに挿入しやすくなる。これにより保護カバー３の組立性を高めることができる。また一例では、これらの隙間ｇを利用してジグ６８を取り付けることができる。これにより、保護カバー３の組立性をさらに高めることができる。
【００６８】
本実施形態では、前面パネル２２は、係止面２２ｃと略同じ幅を有する斜面２２ｆを第３辺５３及び第４辺５４に有する。開口部６５から露出する係止面２２ｃの幅Ｓ１は、開口部６５から露出する第３辺５３の斜面２２ｆの幅Ｓ２よりも小さい。すなわち、係止面２２ｃには支持部６１が外側から面しているため、開口部６５から露出する係止面２２ｃの幅Ｓ１は、開口部６５から露出する第３辺５３の斜面２２ｆの幅Ｓ２よりも必ず小さくなる。そのため上記構成によれば、開口部６５から露出する係止面２２ｃの幅Ｓ１と、開口部６５から露出する第３辺５３の斜面２２ｆの幅Ｓ２とを比較することで、支持部６１が機能していること（支持部６１が係止面２２ｃに掛かっていること）を容易に確認することができる。これにより、映像表示ユニット１の信頼性をさらに高めることができる。
【００６９】
本実施形態では、開口部６５の内縁と前面パネル２２の第３辺５３との間の隙間ｇ、及び開口部６５の内縁と前面パネル２２の第４辺５４との間の隙間ｇのそれぞれに化粧部材６７（隙間埋め部材）が挿入される。このような構成によれば、これら隙間ｇを外部から隠すことができる。これにより、映像表示ユニット１の外観の見栄えをさらに高めることができる。
【００７０】
本実施形態では、化粧部材６７は、表示パネル１４の厚さ方向で第３辺５３または第４辺５４の斜面２２ｆに外側から面する突出部６７ａを有する。このような構成によれば、開口部６５から露出する係止面２２ｃの幅Ｓ１と、開口部６５から露出する第３辺５３及び第４辺５４の斜面２２ｆの幅Ｓ２とを略同じにすることができる。これにより、映像表示ユニット１のデザイン性をさらに高めることができる。
【００７１】
次に、第１乃至第３の変形例に係る映像表示ユニット１について説明する。  
（第１変形例）  
図９は、第１実施形態の第１変形例に係る映像表示ユニット１を示す。本変形例では、係止面２２ｃは、第２面２２ｂに対して段差を有して第２面２２ｂと略平行に延びている。支持部６１は、この係止面２２ｃと略平行に延びて係止面２２ｃに面した平面を含む。このような構成によっても、上記第１実施形態と同様に、映像表示ユニット１の信頼性の向上を図ることができる。なお、本変形例よりも、上記第１実施形態に係るような斜面状の係止面２２ｃのほうが、係止面２２ｃを形成するためのコストを小さくすることができる。
【００７２】
（第２変形例）  
図１０は、第１実施形態の第２変形例に係る映像表示ユニット１を示す。本変形例では、係止面２２ｃは、前面パネル２２の４辺５１，５２，５３，５４のそれぞれに沿って設けられている。保護カバー３は、前面パネル２２の４辺５１，５２，５３，５４に隣接する部位のそれぞれに支持部６１を有する。
【００７３】
本変形例では、フレーム２１の第１辺部３１、第２辺部３２、第３辺部３３、及び第４辺部３４は、互いに分解可能である。すなわち、互いに別体に形成された第１辺部３１、第２辺部３２、第３辺部３３、及び第４辺部３４が組み合わされることでフレーム２１が構成される。
【００７４】
このような構成によっても、上記第１実施形態と同様に、映像表示ユニット１の信頼性の向上を図ることができる。また、第１辺部３１、第２辺部３２、第３辺部３３、及び第４辺部３４を互いに分解可能に形成することで、全周に支持部６１を有したフレーム２１の内側に前面パネル２２を容易に入れることができる。
【００７５】
（第３変形例）  
図１１は、第１実施形態の第３変形例に係る映像表示ユニット１を示す。本変形例では、前面パネル２２の第２面２２ｂに、フィルム８１が貼り付けられている。フィルム８１は、例えば表示パネル１４の表示画面１４ａから照射される光を偏光または調光する光学的フィルムであり、その一例はグレアを抑制するアンチグレアフィルムである。なお、フィルム８１は、例えば映像表示ユニット１にタッチ入力機能を付与するタッチセンサフィルムでもよい。
【００７６】
フィルム８１は、係止面２２ｃを外れて、第２面２２ｂの領域内に位置する。すなわち、フィルム８１は、表示パネル１４の厚さ方向で係止面２２ｃに重ならない。この場合、例えばフィルム８１の厚さ分だけ前面パネル２２を薄くすることで、フルフラットデザインを実現することができる。
【００７７】
このような構成によっても、上記第１実施形態と同様に、映像表示ユニット１の信頼性の向上を図ることができる。また本実施形態によれば、前面パネル２２にフィルム８１を有した構造においても、前面パネル２２を機械的に固定することができる。
【００７８】
なお、図１１に示す構成では、前面パネル２２の２つの面取り面（係止面２２ｃ及び背斜面２２ｅ）の大きさは略同じである。このような構成によれば、設計の容易化を図ることができる。
【００７９】
図１２は、本変形例に関するさらなる変形例を示す。図１２に示す構成では、前面パネル２２の２つの面取り面（係止面２２ｃ及び背斜面２２ｅ）の大きさが異なる。具体的には、係止面２２ｃの大きさは、背斜面２２ｅの大きさよりも小さい。前面パネル２２の厚さは、例えば図４に示す前面パネル２２の厚さと略同じである。
【００８０】
このような構成によれば、例えばフィルム８１を有しながらフルフラットデザインを実現する場合において、図４に示すようなフィルム８１を有しない構成から前面パネル２２の厚さや背斜面２２ｅの大きさなどを変えたくない場合に有用である。
【００８１】
また、前面パネル２２の面取り面（係止面２２ｃ及び背斜面２２ｅ）は、例えば１ｍｍ以下であり、微細な加工が要求される。ここで本変形例では、背斜面２２ｅのサイズは、係止面２２ｃのサイズよりも大きい。このような構成によれば、係止面２２ｃの加工を高精度で行うとともに、背斜面２２ｅの加工は少し緩い精度で行うことができる。すなわち、寸法に余裕がある背斜面２２ｅのサイズを大きくすることで、精度が求められる加工面の数を減らすことができ、前面パネル２２の製造性を高めることができる。
【００８２】
なお、厳密にはフルフラットデザインではなくなるが、図１３に示すように、フィルム８１は、保護カバー３の前面６４よりも前方に位置してもよい。
【００８３】
次に、第２乃至第５の実施形態に係る電子機器９１及び映像表示ユニット１０１について説明する。なお、第１乃至第５実施形態の構成で、互いに同一または類似の機能を有する構成は、同一の符号を付してその説明を省略する。また、各実施形態において、下記に説明する以外の構成は、第１実施形態と同じである。
【００８４】
（第２実施形態）  
図１４及び図１５は、第２実施形態に係る電子機器９１を示す。図１４に示すように、電子機器９１、例えばテレビジョン受像機である。なお本実施形態が適用可能な電子機器は、上記に限らず、デジタルサイネージや、タブレット端末（多機能携帯端末）、スマートフォン、またはモニターのような種々の電子機器が幅広く該当する。また、電子機器９１は、例えば医療用の立体映像を表示可能な医療用モニターの一例としても使用可能である。この場合、表示パネル１４が直接に立体映像を表示してもよいし、表示パネル１４と光学的機能を有した前面パネル２２との組み合わせで立体映像を表示してもよい。
【００８５】
図１４に示すように、電子機器９１は、筐体１１と、スタンド１２とを有する。筐体１１は、スタンド１２に保持されて、鉛直状の姿勢に支持される。筐体１１は、電子機器９１の外部に露出し、電子機器９１の外面（外郭）を形成する。
【００８６】
図１４及び図１５に示すように、筐体１１は、表示装置１３を収容している。表示装置１３は、例えば液晶ディスプレイであり、表示パネル１４（液晶パネル）、バックライトユニット９２、フロントベゼル９３、ミドルフレーム９４、及びバックシャーシ９５を有する。なお、表示装置１３は、液晶ディスプレイに限らず、例えばプラズマディスプレイや、有機ＥＬディスプレイなどでもよい。表示パネル１４は、表示画面１４ａを含む。バックライトユニット９２は、表示パネル１４の背後に位置する。
【００８７】
図１５に示すように、フロントベゼル９３は、表示画面１４ａが露出する第１開口部３８を有する。ミドルフレーム９４は、表示パネル１４の周端部とバックライトユニット９２の周端部との間に位置する。バックシャーシ９５は、バックライトユニット９２の背後に位置する。これにより、表示パネル１４の周端部がフロントベゼル９３とミドルフレーム９４とによって保持されるとともに、バックライトユニット９２の周端部がミドルフレーム９４とバックシャーシ９５とによって保持される。バックシャーシ９５と筐体１１の背壁９６との間には、例えば複数の回路基板９７が設けられている。
【００８８】
図１５に示すように、前面パネル２２は、表示装置１３の表示画面１４ａの前方に位置し、表示画面１４ａを覆う。前面パネル２２は、表示装置１３のフロントベゼル９３によって形成される第１開口部３８よりも大きい。このため、前面パネル２２の第１面２２ａは、第１開口部３８に面するとともに、フロントベゼル９３の前面に面する。表示パネル１４は、接着部３９によってフロントベゼル９３に固定される。第２面２２ｂは、電子機器９１の最外部に位置し、電子機器９１の外部に露出される。
【００８９】
図１５に示すように、本実施形態では、筐体１１は、表示装置１３のフロントベゼル９３よりも前方に突出した突出部３７ｂを有する。突出部３７ｂは、前面パネル２２及び接着部３９の周囲（上方、下方、左方、右方）を囲む枠状に形成されている。突出部３７ｂは、第１辺部３１、第２辺部３２、第３辺部３３、及び第４辺部３４を含む。突出部３７ｂは、前面パネル２２の側面２２ｄに接し、側面２２ｄを支持する。
【００９０】
図１５に示すように、筐体１１の突出部３７ｂは、前面パネル２２の係止面２２ｃを支持可能な支持部６１を有する。本実施形態では、係止面２２ｃ及び支持部６１は、第１辺５１及び第２辺５２のそれぞれに沿って設けられる。なお、係止面２２ｃ及び支持部６１は、前面パネル２２の４辺５１，５２，５３，５４のそれぞれに沿って設けられてもよい。
【００９１】
図１５に示すように、筐体１１の突出部３７ｂは、表示パネル１４の厚さ方向で筐体１１の前方に露出した前面６４を有する。本実施形態に係る保護カバー３は、いわゆるフルフラッシュ、またはフルフラットと呼ばれる外観を有し、前面パネル２２の第２面２２ｂが筐体１１の最前面に位置するとともにその最前面の大部分を占める。本実施形態では、筐体１１の前面６４は、前面パネル２２の第２面２２ｂと略同一平面上に位置する。
【００９２】
（第３実施形態）  
図１６は、第３実施形態に係る電子機器９１を示す。図１６に示すように、電子機器９１は、タブレット端末（多機能携帯端末）である。本実施形態では、係止面２２ｃ及び支持部６１は、第１辺５１及び第２辺５２のそれぞれに沿って設けられる。なお、係止面２２ｃ及び支持部６１は、前面パネル２２の４辺５１，５２，５３，５４のそれぞれに沿って設けられてもよい。
【００９３】
このような構成によっても、上記第１及び上記第２実施形態と同様に、電子機器９１の信頼性の向上を図ることができる。
【００９４】
（第４実施形態）  
図１７は、第４実施形態に係る電子機器９１を示す。図１７に示すように、電子機器９１は、スマートフォンである。本実施形態では、係止面２２ｃ及び支持部６１は、第１辺５１及び第２辺５２のそれぞれに沿って設けられる。なお、係止面２２ｃ及び支持部６１は、前面パネル２２の４辺５１，５２，５３，５４のそれぞれに沿って設けられてもよい。
【００９５】
このような構成によっても、上記第１及び上記第２実施形態と同様に、電子機器９１の信頼性の向上を図ることができる。
【００９６】
（第５実施形態）  
図１８は、第５実施形態に係る映像表示ユニット１０１を示す。映像表示ユニット１０１は、例えばデジタルサイネージである。なお、映像表示ユニット１０１は、テレビジョン受像機や、医療用モニターや、またはその他の電子機器でもよい。
【００９７】
図１８に示すように、映像表示ユニット１０１は、映像表示機器２と、保護カバー３とを含む。映像表示機器２は、例えば壁１０２に取り付けられて使用される。壁１０２は、「映像表示機器が設置される設置場所（設置部）」の一例である。なお、「映像表示機器が設置される設置場所」は、壁に限定されず、天井や床、テレビ台などが適宜該当する。
【００９８】
本実施形態に係る映像表示機器２は、表示ユニット１０３（表示装置本体）と、この表示ユニット１０３を壁１０２に取り付ける壁掛け金具１０４とを含む。壁掛け金具１０４は、「設置ユニット」の一例である。壁掛け金具１０４は、表示ユニット１０３と壁１０２との間に位置し、表示ユニット１０３を支持する。
【００９９】
表示ユニット１０３は、筐体１１と、この筐体１１に収容された表示装置１３（すなわち表示パネル１４とバックライトユニット９２）とを有する。バックシャーシ９５（バックカバー）は、バックライトユニット９２の背後を覆う。バックシャーシ９５は、筐体１１の背壁９６とともに、壁掛け金具１０４に固定され、壁掛け金具１０４に支持される。筐体１１の背壁９６及びバックシャーシ９５は、壁掛け金具１０４に例えばねじ１０５で固定されている。壁掛け金具１０４は、壁１０２に固定される。
【０１００】
図１８に示すように、映像表示装置２には、第１実施形態と同様に、保護カバー３が取り付けられる。なお保護カバー３の詳細は、第１実施形態と略同じである。
【０１０１】
このような構成によっても、上記第１及び上記第２実施形態と同様に、映像表示ユニット１０１の信頼性の向上を図ることができる。
【０１０２】
次に、第１乃至第３の変形例に係る映像表示ユニット１０１について説明する。  
（第１変形例）  
図１９は、第５実施形態の第１変形例に係る映像表示ユニット１０１を示す。本変形例では、壁掛け金具１０４に衝撃吸収部１０６（緩衝部）が設けられている。衝撃吸収部１０６は、例えばゴムやバネのような弾性部材、または油圧ダンパーや空気ダンパーのような緩衝部材を含む。
【０１０３】
壁掛け金具１０４は、壁１０２と表示ユニット１０３との間に設けられている。壁掛け金具１０４は、壁１０２に固定される第１部材１１１、表示ユニット１０３に固定される第２部材１１２、及び第１部材１１１と第２部材１１２との間に設けられた第３部材１１３とを有する。第２部材１１２の下端部は、第１部材１１１の下端部に例えば回動可能に連結されている。第３部材１１３は、第１部材１１１の上端部と第２部材１１２の上端部との間に亘り、第１部材１１１の上端部と第２部材１１２の上端部とにそれぞれ回動可能に連結されている。第３部材１１３は、第１部材１１１と第２部材１１２とを連結している。
【０１０４】
図１９に示すように、本実施形態では、第１部材１１１の下端部と第２部材１１２の下端部との間、及び第３部材１１３の途中に、衝撃吸収部１０６が其々設けられている。これにより、壁１０２から第１部材１１１に伝わる衝撃及び振動の一部は、表示ユニット１０３及び保護カバー３に伝わる前に衝撃吸収部１０６によって吸収される。これにより、表示ユニット１０３及び保護カバー３には、大きな衝撃及び振動が伝わり難い。
【０１０５】
（第２変形例）  
図２０は、第５実施形態の第２変形例に係る映像表示ユニット１０１を示す。本変形例では、映像表示ユニット１０１は、表示ユニット１０３と、この表示ユニット１０３を天井１２１に取り付ける取付部材１２２とを含む。天井１２１は、「表示装置が設置される設置場所（設置部）」の一例である。取付部材１２２は、「設置ユニット」の一例であり、天井１２１と表示ユニット１０３との間に設けられている。
【０１０６】
図２０に示すように、本変形例では、取付部材１２２の途中に衝撃吸収部１０６が設けられている。これにより、天井１２１から取付部材１２２に伝わる衝撃及び振動の一部は、表示ユニット１０３及び保護カバー３に伝わる前に衝撃吸収部１０６によって吸収される。これにより、表示ユニット１０３及び保護カバー３には、大きな衝撃及び振動が伝わり難い。
【０１０７】
（第３変形例）  
図２１は、第５実施形態の第３変形例に係る映像表示ユニット１０１を示す。本変形例では、映像表示ユニット１０１は、表示ユニット１０３と、この表示ユニット１０３を床１２５（またはテレビ台）の上で支えるスタンド１２とを含む。床１２５（またはテレビ台）は、「表示装置が設置される設置場所（設置部）」の一例である。スタンド１２は、「設置ユニット」の一例であり、床１２５と表示ユニット１０３との間に設けられる。
【０１０８】
図２１に示すように、本変形例では、スタンド１２の途中に衝撃吸収部１０６が設けられる。これにより、床１２５からスタンド１２に伝わる衝撃及び振動の一部は、表示ユニット１０３及び保護カバー３に伝わる前に衝撃吸収部１０６によって吸収される。これにより、表示ユニット１０３及び保護カバー３には、大きな衝撃及び振動が伝わり難い。
【０１０９】
（第４変形例）  
図２２は、第５実施形態の第４変形例に係る映像表示ユニット１０１を示す。本変形例では、スタンド１２は、床１２５に設置されるスタンド本体１３１（設置ユニット本体）と、表示ユニット１０３に取り付けられる取付板１３２とを含む。取付板１３２は、スタンド本体１３１（設置ユニット本体）に支持される。
【０１１０】
本変形例では、スタンド本体１３１と取付板１３２との間に衝撃吸収部１０６が設けられている。これにより、床１２５からスタンド１２に伝わる衝撃及び振動の一部は、表示ユニット１０３及び保護カバー３に伝わる前に衝撃吸収部１０６によって吸収される。これにより、表示ユニット１０３及び保護カバー３には、大きな衝撃及び振動が伝わり難い。
【０１１１】
（第５変形例）  
図２３は、第５実施形態の第５変形例に係る映像表示ユニット１０１を示す。本変形例では、取付部材１２２に代えて、表示ユニット１０３に衝撃吸収部１０６が設けられている。衝撃吸収部１０６は、表示装置１３とは構造的に独立した部材と、設置ユニット（例えば取付部材１２２）との間に設けられる。
【０１１２】
詳しく述べると、本変形例では、衝撃吸収部１０６は、表示ユニット１０３の取付部材１２２が固定される部分に設けられている。衝撃吸収部１０６は、例えば筐体１１の背壁９６と取付部材１２２との間に設けられる。
【０１１３】
筐体１１及び表示装置１３は、衝撃吸収部１０６を介して取付部材１２２に支持されており、取付部材１２２に直接に固定されていない。これにより、天井１２１から取付部材１２２に伝わる衝撃及び振動の一部は、保護カバー３に伝わる前に衝撃吸収部１０６によって吸収される。これにより、保護カバー３には、大きな衝撃及び振動が伝わり難い。
【０１１４】
なお、本変形例は、壁掛け金具１０４またはスタンド１２で表示ユニット１０３が支持される構造にも其々適用することができる。すなわち、これらの構造においても、衝撃吸収部１０６は、設置ユニットに代えて、表示ユニット１０３に設けられてもよい。
【０１１５】
以上、第１乃至第５の実施形態について説明したが、実施形態は上記例に限られない。例えば、第２乃至第５の実施形態においても、図１１乃至図１３のいずれかに示すようなフィルム８１を有した構造を採用してもよい。
【０１１６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【０１１７】
ｇ…隙間、１…映像表示ユニット、２…映像表示機器、３…保護カバー、１４…表示パネル、１４ａ…表示画面、２１…フレーム、２２…前面パネル、２２ａ…第１面、２２ｂ…第２面、２２ｃ…係止面、２２ｆ…斜面、３７…部品、３７ａ…部分、３７ｂ…部分、５１…第１辺、５２…第２辺、５３…第３辺、５４…第４辺、６１…支持部、６４…前面、６５…開口部、６７…化粧部材（隙間埋め部材）、６７ａ…突出部、９１…電子機器。
【図１】
0006530949.tif 000002
【図２】
0006530949.tif 000003
【図３】
0006530949.tif 000004
【図４】
0006530949.tif 000005
【図５】
0006530949.tif 000006
【図６】
0006530949.tif 000007
【図７】
0006530949.tif 000008
【図８】
0006530949.tif 000009
【図９】
0006530949.tif 000010
【図１０】
0006530949.tif 000011
【図１１】
0006530949.tif 000012
【図１２】
0006530949.tif 000013
【図１３】
0006530949.tif 000014
【図１４】
0006530949.tif 000015
【図１５】
0006530949.tif 000016
【図１６】
0006530949.tif 000017
【図１７】
0006530949.tif 000018
【図１８】
0006530949.tif 000019
【図１９】
0006530949.tif 000020
【図２０】
0006530949.tif 000021
【図２１】
0006530949.tif 000022
【図２２】
0006530949.tif 000023
【図２３】
0006530949.tif 000024